(57)【要約】【課題】  サイフォン現象の発生を防止して中和器内の水封状態を保つことができる熱源機を提供する。【解決手段】  燃焼器２と、燃焼器２により発生された燃焼ガスから熱回収を行なうことによって被加熱流体の加熱を行なう熱交換器５，６と、ドレン用の流入口２２および排出口２３を有し、かつ熱回収に伴って発生した酸性のドレンを流入口２２から内部に流入させて、このドレンを中和させてから排出口２３より排出させる中和器２０と、中和器２０の排出口２３に接続されたドレンの排出経路に設けられた開閉弁５０と、中和器２０内に貯留されるドレンの水位が、中和器２０内が水封状態となる水位であって、かつ排出口２３の最下部よりも低い所定の水位以上であることを検知する水位検知手段と、水位検知手段が非検知状態から検知状態になると開閉弁５０を開くように制御する弁制御手段とを備えている。【選択図】  図１
2019032137.tif 000002
【特許請求の範囲】
【請求項１】
燃焼器と、
前記燃焼器により発生された燃焼ガスから熱回収を行なうことによって被加熱流体の加熱を行なう熱交換器と、
ドレン用の流入口および排出口を有し、かつ前記熱回収に伴って発生した酸性のドレンを前記流入口から内部に流入させて、このドレンを中和させてから前記排出口より排出させる中和器と、
前記中和器の排出口に接続されたドレンの排出経路に設けられた開閉弁と、
前記中和器内に貯留されるドレンの水位が、前記中和器内が水封状態となる水位であって、かつ前記排出口の最下部よりも低い所定の水位以上であることを検知する水位検知手段と、
前記水位検知手段が非検知状態から検知状態になると前記開閉弁を開くように制御する弁制御手段と、
を備えた熱源機。
【請求項２】
前記弁制御手段は、
前記水位検知手段が検知状態から非検知状態になると前記開閉弁を閉じるように制御する、
請求項１に記載の熱源機。
【請求項３】
前記熱交換器で加熱される被加熱流体を外部の暖房端末と前記熱交換器との間で循環させる循環流路が形成され、
前記熱交換器へ流入する被加熱流体の温度を検出する温度センサと、
前記水位検知手段が非検知状態のときに前記温度センサで検出される被加熱流体の温度がドレンの発生しやすい温度として予め定められた所定温度となるように、前記燃焼器の燃焼量と前記循環流路を循環する被加熱流体の流量のうち少なくとも一方を制御する温度制御手段と、
をさらに備えた請求項１または２に記載の熱源機。
【請求項４】
前記水位検知手段は、
前記中和器内において水平方向に互いに離れて配置され、上下方向に延びる一対の電極を有し、この一対の電極の両方の下端部がドレンに浸かることにより検知状態となるよう構成された、
請求項１〜３のいずれかに記載の熱源機。
【発明の詳細な説明】
【技術分野】
【０００１】
本発明は、燃焼ガスから熱回収を行う際に発生する酸性のドレン（凝縮水）を中和するための中和器を備えた熱源機に関する。
【背景技術】
【０００２】
従来の熱源機では、熱交換効率を向上させるために、バーナの燃焼により発生する燃焼ガスから顕熱を回収する一次熱交換器と、一次熱交換器通過後の燃焼ガスから潜熱を回収する二次熱交換器と、この二次熱交換器で発生する酸性のドレンを中和する中和器とを有する構成のものがある。
【０００３】
このような熱源機では、燃焼ガスが中和器を通過して外部へ漏れないようにするために、中和器において水封状態を実現するように構成したものがある（例えば特許文献１，２参照）。
【０００４】
特許文献１，２では、中和器には、その上部にドレンが流入する導入口が設けられ、側部に中和器内で中和されたドレンが排出される排出口が設けられている。そして排出口にドレン排水管が接続され、ドレン排水管に開閉弁が設けられており、中和器内にドレンが十分貯留されて水封状態となった後に、開閉弁を開くようにしている。
【先行技術文献】
【特許文献】
【０００５】
【特許文献１】特開２０１７−３１３７号公報
【特許文献２】特開２０１７−３１３８号公報
【発明の概要】
【発明が解決しようとする課題】
【０００６】
上記のような中和器を備えた熱源機において、中和器内にドレンが大量に貯留されたときに開閉弁を開くと、中和器内のドレンが勢いよく排出されて、サイフォン現象が生じ、水封破壊を起こす虞がある。
【０００７】
本発明は上記のような課題を解決するためになされたもので、サイフォン現象の発生を防止して中和器内の水封状態を保つことができる熱源機を提供することを目的としている。
【課題を解決するための手段】
【０００８】
上記目的を達成するために、本発明のある態様に係る熱源機は、燃焼器と、前記燃焼器により発生された燃焼ガスから熱回収を行なうことによって被加熱流体の加熱を行なう熱交換器と、ドレン用の流入口および排出口を有し、かつ前記熱回収に伴って発生した酸性のドレンを前記流入口から内部に流入させて、このドレンを中和させてから前記排出口より排出させる中和器と、前記中和器の排出口に接続されたドレンの排出経路に設けられた開閉弁と、前記中和器内に貯留されるドレンの水位が、前記中和器内が水封状態となる水位であって、かつ前記排出口の最下部よりも低い所定の水位以上であることを検知する水位検知手段と、前記水位検知手段が非検知状態から検知状態になると前記開閉弁を開くように制御する弁制御手段と、を備えている。
【０００９】
この構成によれば、水位検知手段は、中和器内に貯留されるドレンの水位が、中和器内が水封状態となる水位であって、かつ排出口の最下部よりも低い所定の水位以上であることを検知するようにしているので、ドレンの水位が上昇して水位検知手段が非検知状態から検知状態になって開閉弁が開かれる時点では、ドレンの水位は排出口の最下部よりも低い水位である。よって、開閉弁が開かれた時点においてドレンが排出口から排出されることはなく、その後、中和器内のドレンの貯留量が増加してドレンの水位が排出口の最下部以上になると、ドレンが排出口から排出され、排出経路を通って外部へ排出される。このように、開閉弁が開かれた時点でドレンが勢いよく中和器から排出されることがないので、サイフォン現象が生じることがなく、中和器内の水封状態を保つことができる。
【００１０】
前記弁制御手段は、前記水位検知手段が検知状態から非検知状態になると前記開閉弁を閉じるように制御するようにしてもよい。
【００１１】
この構成によれば、中和器内のドレンの水位が下降して水位検知手段が検知状態から非検知状態になると開閉弁を閉じることにより、中和器内の水封破壊が生じたとしても外部への燃焼ガスの漏洩を防止することができる。また、水位検知手段が非検知状態になる時点（開閉弁が閉じられる時点）では、中和器内のドレンの水位は排出口の最下部よりも低い水位（所定の水位未満）となっており、それまでに排出経路内のドレンは外部へ排出され、排出経路内にドレンが残留しないため、冬場の低い気温によって排出経路内でドレンが凍結することを防止できる。
【００１２】
前記熱交換器で加熱される被加熱流体を外部の暖房端末と前記熱交換器との間で循環させる循環流路が形成され、前記熱交換器へ流入する被加熱流体の温度を検出する温度センサと、前記水位検知手段が非検知状態のときに前記温度センサで検出される被加熱流体の温度がドレンの発生しやすい温度として予め定められた所定温度となるように、前記燃焼器の燃焼量と前記循環流路を循環する被加熱流体の流量のうち少なくとも一方を制御する温度制御手段と、をさらに備えていてもよい。
【００１３】
このような構成の熱源機は、暖房用の熱源機であって、水位検知手段が非検知状態のときに、温度センサで検出される熱交換器へ流入する被加熱流体の温度がドレンの発生しやすい所定温度となるようにすることにより、ドレンの発生量を増加させて、中和器内を早く水封状態ないし水封検知状態としたり、中和器内の水封破壊を防止したりすることができる。
【００１４】
前記水位検知手段は、前記中和器内において水平方向に互いに離れて配置され、上下方向に延びる一対の電極を有し、この一対の電極の両方の下端部がドレンに浸かることにより検知状態となるよう構成されていてもよい。
【００１５】
この構成によれば、一対の電極に同一構成の電極を用いることができる。
【発明の効果】
【００１６】
本発明は、以上に説明した構成を有し、サイフォン現象の発生を防止して中和器内の水封状態を保つことができる熱源機を提供することができるという効果を奏する。
【図面の簡単な説明】
【００１７】
【図１】図１は、本発明の実施形態の一例の熱源機の概略構成を示す模式図である。
【図２】図２は、中和器及び緩衝槽の具体例を示す縦断面図である。
【図３】図３は、熱源機の動作の一例を示すフローチャートである。
【発明を実施するための形態】
【００１８】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１９】
（実施形態）
図１は、本発明の実施形態の一例の熱源機の概略構成を示す模式図である。この熱源機１は、筐体１ａの内部に各種部品等が設けられた熱源機本体と、リモコン６１とを備えている。この熱源機１は、暖房端末７０に接続されている。暖房端末７０としては、床暖房パネル、ファンコンベクタ等が用いられる。
【００２０】
熱源機１は、筐体１ａの内部に、燃料（石油、ガス等）を燃焼するバーナからなる燃焼器２と、燃焼器２へ燃焼用の空気を供給する送風機３と、燃焼室４内に配置された熱交換器（一次熱交換器５及び二次熱交換器６）と、中和器２０と、制御装置６０などを備えている。
【００２１】
一次熱交換器５は、燃焼器２の燃焼により発生した燃焼ガスから顕熱を回収し、一次受熱管５ａを流通する水等の循環水（被加熱流体）を加熱するものである。また、二次熱交換器６は、一次熱交換器５を通過した燃焼ガスから潜熱を回収し二次受熱管６ａを流通する循環水を加熱するものである。そして、一次熱交換器５、二次熱交換器６の順に通過した燃焼ガスは排気口１６より外部に排気される。
【００２２】
一次熱交換器５の一次受熱管５ａと二次熱交換器６の二次受熱管６ａとは連結管７で接続されている。また、一次受熱管５ａの出水側端部に暖房往き管８の一端が接続され、暖房往き管８の他端に外部配管７１を介して暖房端末７０の入水側端部が接続されている。また、二次受熱管６ａの入水側端部に暖房戻り管９の一端が接続され、暖房戻り管９の他端に外部配管７２を介して暖房端末７０の出水側端部が接続されている。これらの暖房端末７０と外部配管７１，７２と暖房戻り管９と二次受熱管６ａと連結管７と一次受熱管５ａと暖房往き管８とで循環水が循環する循環流路１０が形成されている。
【００２３】
また、暖房戻り管９には、循環ポンプ１１及び暖房タンク１２が設けられている。循環ポンプ１１は、循環流路１０の循環水を循環させるためのポンプである。暖房タンク１２は、循環流路１０を循環する循環水の温度変化による体積変動を吸収するためのタンクである。暖房タンク１２には膨張タンク１３が接続されている。この膨張タンク１３は、循環水が高温となって体積膨張したときに暖房タンク１２から溢れる分を吸収するとともに、逆に循環水が低温となって体積収縮したときに暖房タンク１２へ循環水を補充するよう構成されている。
【００２４】
暖房往き管８には、同往き管８内の循環水の温度を検出する温度センサＴ１が設けられ、暖房戻り管９には、同戻り管９内の循環水の温度を検出する温度センサＴ２が設けられている。
【００２５】
二次熱交換器６の下方には、二次熱交換器６で発生する酸性のドレン（凝縮水）Ｗを回収するドレン受け部１４が設けられている。ドレン受け部１４には、ドレン導入管１５の上端が接続され、ドレン導入管１５の下端が中和器２０の流入口２２に接続されている。中和器２０の排出口２３には、緩衝槽３０が設けられている。そして、緩衝槽３０の排出口３２には、ドレン排水管３３の一端が接続されている。ドレン排水管３３の途中あるいは他端に、二方弁（開放又は閉鎖の切替弁）からなる開閉弁５０が設けられている。ドレン受け部１４で回収されたドレンＷは、ドレン導入管１５を通って流入口２２から中和器２０へ流入し、中和器２０内で中和されて排出口２３から排出される。この排出口２３から排出されるドレンＷは、開閉弁５０が開弁状態のときに、ドレンの排出経路（緩衝槽３０およびドレン排水管３３）を通って外部へ排出される。
【００２６】
図２は、中和器２０及び緩衝槽３０の具体例を示す縦断面図である。
中和器２０は、中空の容器２１を備えている。容器２１は、例えば、ブロー成形などで成形される。図２において、容器２１の右側端部は、緩衝槽３０になっており、本例では、中和器２０と緩衝槽３０とが一体的に構成されている。
【００２７】
中和器２０は、容器２１の内部に仕切壁２１ａ〜２１ｃが設けられ、仕切壁２１ａ、２１ｂにはスリット状の開口からなる通流口２８ａ、２８ｂが設けられている。仕切壁２１ａ〜２１ｃによって、中和器２０内が、中和剤Ｎが入っていない水位検知室２４と、中和剤Ｎが内部に充填された中和室２５とに区画され、一方の通流口２８ａを通過するドレンＷの流路が矢印で示されるように設けられる。なお、他方の通流口２８ｂは、一方の通流口２８ａが詰まったときなどのための予備の通路として通流口２８ａよりも上方に設けられている。
【００２８】
中和室２５の下流方向（図の右端）には緩衝槽３０が設けられ、中和室２５と緩衝槽３０とは、スリット状の開口からなる排出口２３を介して連通している。この排出口２３は、矢印８０方向から視た場合、上下方向に細長い開口となっている。また、水位検知室２４と中和室２５との間の通流口２８ａ、２８ｂは、上方から視た場合、図２において左右方向に細長い開口となっている。これらの排出口２３及び通流口２８ａ、２８ｂは、それぞれ、塊状の中和剤Ｎが通過できない幅の狭いスリット状の開口からなり、塊状の中和剤Ｎが中和室２５から出ることはない。
【００２９】
なお、容器２１の上部には、中和剤Ｎを中和室２５へ入れるための開閉蓋２７が設けられている。また、容器２１の左下部には、メンテナンス時において中和器２０内のドレンを排出する水抜き時に使用する排水部２９が設けられている。
【００３０】
中和器２０の流入口２２から水位検知室２４へ流入したドレンＷは、通常、矢印で示されるように、水位検知室２４から通流口２８ａを介して中和室２５に流れ出て、中和室２５を通って下流方向へと流れ、中和室２５から排出口２３を通って緩衝槽３０へと排出され、開閉弁５０が開弁状態のときに緩衝槽３０からドレン排水管３３を通って、外部へ排出されるようになっている。なお、緩衝槽３０の内部３１は、一定量のドレンＷを貯留することができる容積を有している。
【００３１】
中和器２０は、仕切壁２１ｃの下端部よりも排出口２３の最下部２３ａが上方に位置する水封構造になっている。この水封構造は、ドレンＷが容器２１の内部に溜って仕切壁２１ｃの下端部よりも高い水位となることによって、ドレンＷとともに水位検知室２４に流れ込んだ燃焼ガスが、通流口２８ａ、２８ｂを通って中和室２５を通過するのを遮断し、中和器２０の外部に排出されないように水封するためのものである。すなわち、中和室２５内に溜まったドレンＷが仕切壁２１ｃの下端部よりも高い水位となることによって、燃焼ガスが中和器２０から緩衝槽３０へ流れ出ない水封状態となる。
【００３２】
水位検知室２４は、ドレンＷが流入する流入口２２の下方が異物貯留部２４ａになっている。水位検知室２４の上壁２６には、流入口２２と、容器２１内が詰ったときの水位上昇を検知するオーバーフロー電極４０と、中和器２０の内部が水封された状態（水封状態）であることを検知するための水封電極４５とが設けられている。オーバーフロー電極４０は１本設けられ、水封電極４５は図２の紙面直交方向に並んで一対設けられており、オーバーフロー電極４０と水封電極４５の配置は一例である。一対の水封電極４５は、水平方向に離れて配置されていればよく、例えば、図１のように左右方向に並んで配置されていてもよい。
【００３３】
一対の水封電極４５は、これら両方の下端部４６がドレンＷに浸かることで一対の水封電極４５間が通電して水封状態が検知されるようになっている。すなわち、中和器２０内のドレンＷが水封電極４５の下端部４６に達する水位が水封検知水位（所定の水位）Ｍである。
【００３４】
この水封検知水位Ｍは、中和器２０内が水封状態となる最も低い水位（仕切壁２１ｃの下端部）よりも高い水位であるので、一対の水封電極４５によって水封状態であることが検知されている状態のとき、すなわち、中和器２０内のドレンＷの水位が水封検知水位Ｍ以上の水位のときには、中和器２０内は確実に水封状態となっている。
【００３５】
また、一対の水封電極４５の両方の下端部４６は、中和器２０の排出口２３の最下部２３ａを通る水平面Ｌに対して所定距離Ｇだけ下方に位置している。すなわち、一対の水封電極４５によって水封状態であることが検知される水封検知水位Ｍに対して、排出口２３の最下部２３ａが所定距離Ｇだけ上方位置となっている。これにより、中和器２０内に溜まるドレンＷの水位が上昇して、一対の水封電極４５によって水封状態であることが検知された時点（検知開始時点）においては、ドレンＷが排出口２３から緩衝槽３０へ流れ出ない状態である。
【００３６】
なお、一対の水封電極４５には、筐体１ａ内に設けられた所定の電源（図示せず）から、例えば、所定の電圧が常時印加されており、一対の水封電極４５間の通電を検知する検知部（通電検知部）が設けられている。ここで、中和器２０内のドレンＷが水封検知水位Ｍ以上の水位になると、一対の水封電極４５間が通電し、通電検知部から通電を検知したことを示す通電検知信号が出力され、制御装置６０へ入力される。一方、中和器２０内のドレンＷが水封検知水位Ｍ未満の水位のときには、一対の水封電極４５間は通電せず、通電検知部から通電検知信号は出力されず、制御装置６０へ通電検知信号は入力されない。ここで、一対の水封電極４５及び通電検知部等によって水位検知手段が構成されている。なお、通電検知部を制御装置６０に含むように構成されていてもよい。
【００３７】
本例では、一対の水封電極４５を上下方向に長い同一長さとし、両方の下端部４６が同一高さレベルとなるように配置している。これにより、一対の水封電極４５として、同一構成のものを使用することができる。
【００３８】
制御装置６０は、ＣＰＵ、ＲＯＭおよびＲＡＭ等を備え、例えば、マイクロコントローラ等で構成されている。制御装置６０には、燃焼器２、送風機３、循環ポンプ１１、開閉弁５０などを制御するための信号経路が接続されている。また、制御装置６０には、上述の通電検知信号、及び、温度センサＴ１，Ｔ２などの出力信号を入力するための信号経路が接続されている。制御装置６０では、例えば、ＣＰＵがＲＯＭに記憶された制御プログラムをＲＡＭに読み出し実行することで熱源機１の各種制御を実行することができ、弁制御手段および温度制御手段等としても機能する。なお、制御装置６０は、集中制御する単独の制御装置によって構成されていてもよいし、互いに協働して分散制御する複数の制御装置によって構成されていてもよい。
【００３９】
また、制御装置６０は、リモコン６１と通信可能に接続されており、互いに情報の授受を行う。リモコン６１は、使用者が熱源機１の運転操作等を行うためのもので、暖房運転の開始または停止を指示する運転スイッチ、及び、暖房端末７０へ送りだす循環水の温度を設定する温度設定スイッチなどの操作部と、温度設定スイッチで設定した温度等を表示する表示部とを備えている。
【００４０】
次に、熱源機１の動作の一例について説明する。図３は、熱源機１の動作の一例を示すフローチャートである。この動作は、制御装置６０の制御によって実現される。
【００４１】
まず、使用者がリモコン６１の運転スイッチを操作して暖房運転の開始を指示すると、その運転開始指示が制御装置６０に入力される（ステップＳ１）。なお、運転開始前（運転停止状態のとき）は、開閉弁５０は閉弁状態となるよう制御されている。
【００４２】
制御装置６０は、運転開始指示が入力されると、水封検知状態であるか否かを判断する（ステップＳ２）。このステップＳ２では、制御装置６０は、前述の通電検知部から通電検知信号が入力されているとき（すなわち通電検知部が検知状態のとき）には、水封検知状態であると判断し、通電検知信号が入力されていないとき（すなわち通電検知部が非検知状態のとき）には、水封検知状態ではないと判断する（後述のステップＳ４，Ｓ７も同様）。
【００４３】
制御装置６０は、ステップＳ２において水封検知状態でない場合には、ドレン増量運転を開始し、水封検知状態となるまでドレン増量運転を継続する（ステップＳ３，Ｓ４）。ドレン増量運転については後述する。
【００４４】
制御装置６０は、ステップＳ２またはステップＳ４において、水封検知状態であると判断したときは、開閉弁５０を開いて（ステップＳ５）、通常運転を開始する（ステップＳ６）。そして、通常運転中にも水封検知状態であるか否かの判断を行い（ステップＳ７）、水封検知状態である間は、通常運転を継続する（ステップＳ６，Ｓ７）。一方、通常運転中に水封検知状態でなくなった場合には、開閉弁５０を閉じて（ステップＳ８）、ステップＳ３に戻ってドレン増量運転を開始する。
【００４５】
なお、ステップＳ７において、開閉弁５０を閉じるときの水封検知状態ではないという判断は、通電検知部からの通電検知信号が、所定時間（例えば１分間）の間、継続して入力されないことを条件とするようにしてもよい。これにより、容器２１内のドレンＷの水面高さが振れることによって開閉弁５０が不安定な状態となること、及びドレン増量運転と通常運転とが短時間で繰り返されることを回避できる。
【００４６】
通常運転（通常の暖房運転）を行う場合、制御装置６０は、燃焼器２、送風機３及び循環ポンプ１１を作動させる。そして、通常運転中、暖房する室温がリモコン６１の操作部で設定された暖房設定温度付近の温度になるように、燃焼器２の燃焼量の調整（間欠的な燃焼による調整も含む）により適宜制御している。また、運転中は、燃焼器２の燃焼が実行されているか燃焼器２の燃焼が停止しているかに関わらず、循環ポンプ１１の駆動は常時行われており、暖房端末７０には循環水が継続的に循環される。そして、二次熱交換器６において発生するドレンは、ドレン受け１４で回収されてドレン導入管１５を介して中和器２０へ流入する。
【００４７】
この通常の暖房運転では、暖房端末７０が設置された部屋の温度が高くなるにつれて、二次熱交換器６への入水温度（二次受熱管６ａへ流入する循環水の温度）が上昇する。そして、二次熱交換器６への入水温度が例えば後述の所定温度Ｔｓを超えて高い温度になると、ドレンが発生しにくい状態あるいは発生しない状態となる。このような状態で暖房運転が継続した場合、中和器２０内へ流入する燃焼ガスにより中和器２０内のドレンが加熱されてそのドレンが蒸発することも考えられる。よって、熱源機１の設置直後や、中和器２０の水抜き直後などの使用時においては、中和器２０内が水封状態ないし水封検知状態となりにくい。
【００４８】
一方、ドレン増量運転を行うことで、ドレンが発生しやすくなり、ドレンの発生量を増加させることができる。このドレン増量運転を行う場合、制御装置６０は、燃焼器２、送風機３及び循環ポンプ１１を作動させ、温度センサＴ２で測定される二次熱交換器６への入水温度が、ドレンの発生しやすい温度として予め定められた所定温度Ｔｓ（例えば、４５℃以下の所定温度）となるように、燃焼器２の燃焼量の調整（言い換えれば、単位時間当たりの発熱量の調整であり、間欠的な燃焼による調整も含む）、および／または、循環ポンプ１１の流量の調整をして、暖房運転を行う。所定温度Ｔｓは、実験等によって求められた値である。
【００４９】
なお、必ずしもドレン増量運転を行う必要はないが、ドレン増量運転を行うことで、ドレンの発生量を増加させて、中和器２０内を早く水封状態ないし水封検知状態とすることができ、開閉弁５０が閉じっぱなしとなって、開閉弁５０に不具合が生じるのを回避できる。また、ドレンの蒸発等による中和器２０内の水封破壊を防止できる。
【００５０】
本実施形態では、中和器２０内に貯留されるドレンの水位が、中和器２０内が水封状態となる水位であって、かつ排出口２３の最下部２３ａよりも低い水封検知水位Ｍ以上であることを検知して開閉弁５０を開くようにしているので、ドレンの水位が上昇して開閉弁５０が開かれる時点では、ドレンの水位は排出口２３の最下部２３ａよりも低い水位である。よって、開閉弁５０が開かれた時点においてドレンが排出口２３から排出されることはなく、その後、中和器２０内のドレンの貯留量が増加してドレンの水位が排出口２３の最下部２３ａ以上になると、ドレンが排出口２３から排出され、排出経路（緩衝槽３０およびドレン排水管３３）を通って外部へ排出される。このように、開閉弁５０が開かれた時点でドレンが勢いよく中和器２０から排出されることがないので、サイフォン現象が生じることがなく、中和器２０内の水封状態を保つことができる。
【００５１】
また、中和器２０内のドレンの水位が下降して水封検知水位Ｍ未満になると開閉弁５０を閉じることにより、中和器２０内の水封破壊が生じたとしても外部への燃焼ガスの漏洩を防止することができる。また、開閉弁５０が閉じられる時点では、中和器２０内のドレンの水位は排出口２３の最下部２３ａよりも低い水位となっており、それまでに排出経路（緩衝槽３０およびドレン排水管３３）内のドレンは外部へ排出され、排出経路内にドレンが残留しないため、冬場の低い気温によって排出経路内でドレンが凍結することを防止できる。
【００５２】
なお、本実施形態では、暖房端末７０が接続される暖房用の熱源機１を例に説明したが、給湯用の熱源機等にも本発明を適用することができる。給湯用の熱源機の場合には、例えば、二次熱交換器６（二次受熱管６ａ）の入水側端部に接続され外部から水道水が入水される入水管と、一次熱交換器５（一次受熱管５ａ）の出水側端部に接続された出湯管と、入水管へ入水される水道水の一部を出湯管へ供給するために入水管と出湯管とをつなぐバイパス管と、バイパス管を通過する流量を調整する流量調整弁と、入水管に設けられた流量センサと、二次熱交換器６へ流入する水の温度を検出する入水温度センサ等を有している。そして、出湯管は、外部配管を介してカラン等の給湯栓に接続されている。
【００５３】
この場合、給湯栓が開かれて、上記流量センサで検出される入水管への入水流量が最低作動流量以上になると、制御装置６０は、給湯運転を実施し、燃焼器２及び送風機３を作動し、上記入水温度センサで検出される二次熱交換器６へ流入する水の温度に基づいて、一次熱交換器５から出湯管へ流出される湯の温度が所定温度になるように燃焼器２の燃焼量を制御するようになっている。そして、一次熱交換器５から出湯管へ流出された湯と、バイパス管を通して出湯管へ分岐入水させた水とを混合させて温調させることにより、給湯栓から給湯設定温度の湯が流出される。なお、給湯用の熱源機の場合には、暖房用の熱源機１において説明したドレン増量運転は行われない。
【００５４】
また、給湯用の熱源機の場合、被加熱流体は水道水等の水であるが、例えば図１に示すような暖房用の熱源機１の場合、被加熱流体（循環水）は水に限らず、不凍液等でもよい。
【００５５】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５６】
本発明は、サイフォン現象の発生を防止して中和器内の水封状態を保つことができる熱源機等として有用である。
【符号の説明】
【００５７】
１  熱源機
２  燃焼器
５  一次熱交換器
６  二次熱交換器
１０  循環流路
１１  循環ポンプ
２０  中和器
２２  流入口
２３  排出口
２３ａ  排出口の最下部
３０  緩衝槽
３３  ドレン排水管
４５  水封電極
５０  開閉弁
６０  制御装置
７０  暖房端末
Ｔ１，Ｔ２  温度センサ
【図１】
2019032137.tif 000003
【図２】
2019032137.tif 000004
【図３】
2019032137.tif 000005